(57)【要約】【課題】１つの駆動モータによって、光ピックアップの移動、光ピックアップとディスクを駆動する駆動部とを備えた可動フレームの昇降移動、及びディスクを載置するトレイの出し入れ移動を自動的に行えるディスク装置であって、可動フレームの昇降を可能とするスライダを確実にロックでき、部品追加によるコストアップを伴うことがないロック機構を備えるディスク装置を提供する。【解決手段】ディスク装置が備えるロック機構３０は、光ピックアップ５に取り付けられスライダ１１側に向かって移動可能なラック１０ａと、弾性変形する板状部と該板状部の先端側に設けられてラック１０ａの移動方向と直交する方向であってシャーシの底面方向に延び出す円柱状の先端部とから成る弾性部３１と、弾性部３１の先端部と係合し、シャーシに設けられる係合部３４と、から成る。【選択図】図１
2008097770.tif 000002
【特許請求の範囲】
【請求項１】
シャーシと、
前記シャーシに対して出し入れ可能に設けられてディスクを載置するトレイと、
前記シャーシに対して昇降可能に設けられて、前記ディスクを駆動する駆動部と前記ディスクの情報の読み取りが可能な光ピックアップとを有する可動フレームと、
前記シャーシ上に前記トレイの出し入れ方向と直交する方向に移動可能に形成され、前記可動フレームを昇降可能とするスライダと、
前記スライダを所定の位置に固定するロックと該ロックの解除とを所定のタイミングで選択的に行えるロック機構と、
を備え、
１つの駆動モータを駆動することによって、前記トレイの出し入れ移動と前記光ピックアップの移動と前記可動フレームの昇降移動とを自動的に行うディスク装置において、
前記ロック機構は、
前記光ピックアップに取り付けられ、前記駆動モータの駆動によって前記スライダ側に向かって移動可能な移動部材と、
弾性変形する板状部と、該板状部の先端側に設けられて前記移動部材の移動方向と直交する方向であって前記シャーシの底面方向に延び出す円柱状の先端部と、から成って前記スライダと一体成形される弾性部と、
前記シャーシに形成されて前記弾性部の前記先端部と係合可能に設けられる係合部と、
から成り、
前記先端部と前記係合部との係合により前記スライダを前記所定の位置にロックし、
前記移動部材の前記スライダ側への移動によって前記弾性部が前記移動部材に押圧されて前記板状部が変形し、前記先端部と前記係合部との係合を解消して前記ロックの解除を行うことを特徴とするディスク装置。
【請求項２】
シャーシと、
前記シャーシに対して出し入れ可能に設けられてディスクを載置するトレイと、
前記シャーシに対して昇降可能に設けられて、前記ディスクを駆動する駆動部と前記ディスクの情報の読み取りが可能な光ピックアップを有する可動フレームと、
前記シャーシ上に前記トレイの出し入れ方向と直交する方向に移動可能に形成され、前記可動フレームを昇降可能とするスライダと、
前記スライダを所定の位置に固定するロックと該ロックの解除とを所定のタイミングで選択的に行えるロック機構と、
を備え、
１つの駆動モータを駆動することによって、前記トレイの出し入れ移動と前記光ピックアップの移動と前記可動フレームの昇降移動とを自動的に行うディスク装置において、
前記ロック機構は、
前記光ピックアップに取り付けられ、前記駆動モータの駆動によって前記スライダ側に向かって移動可能な移動部材と、
弾性変形する板状部と、該板状部の先端側に設けられて前記移動部材の移動方向と非平行な方向であって前記シャーシの底面方向に延び出す先端部と、から成って前記スライダと一体成形される弾性部と、
前記シャーシに形成されて前記弾性部の前記先端部と係合可能に設けられる係合部と、
から成り、
前記先端部と前記係合部との係合により前記スライダを前記所定の位置にロックし、
前記移動部材の前記スライダ側への移動によって前記弾性部が前記移動部材に押圧されて前記板状部が変形し、前記先端部と前記係合部との係合を解消して前記ロックの解除を行うことを特徴とするディスク装置。
【請求項３】
前記先端部は、前記移動部材の移動方向と直交する方向であって前記シャーシの底面方向に延びることを特徴とする請求項２に記載のディスク装置。
【請求項４】
前記先端部は円柱状に形成されることを特徴とする請求項２又は３に記載のディスク装置。
【請求項５】
シャーシと、
前記シャーシに対して出し入れ可能に設けられてディスクを載置するトレイと、
前記シャーシに対して昇降可能に設けられて、前記ディスクを駆動する駆動部と前記ディスクの情報の読み取りが可能な光ピックアップとを有する可動フレームと、
前記シャーシ上に前記トレイの出し入れ方向と直交する方向に移動可能に形成され、前記可動フレームを昇降可能とするスライダと、
前記スライダを所定の位置に固定するロックと該ロックの解除とを所定のタイミングで選択的に行えるロック機構と、
を備え、
１つの駆動モータを駆動することによって、前記トレイの出し入れ移動と前記光ピックアップの移動と前記可動フレームの昇降移動とを自動的に行うディスク装置において、
前記ロック機構は、
前記光ピックアップに取り付けられ、前記駆動モータの駆動によって前記スライダ側に向かって移動可能な移動部材と、
前記シャーシと一体成形され、前記移動部材の移動方向と略直交する方向に延びる棒状部を有し、弾性変形によって前記棒状部を回動する弾性部と、
前記スライダに設けられて前記棒状部と係合可能な係合部と、
から成って、
前記棒状部が前記係合部と係合することによって前記スライダを前記所定の位置にロックし、
前記移動部材の前記スライダ側への移動によって前記棒状部が前記移動部材に押圧されて前記弾性部が弾性変形し、前記棒状部と前記係合部の係合を解消して前記ロックの解除を行うことを特徴とするディスク装置。
【請求項６】
前記弾性部は前記シャーシに両端を固定されていることを特徴とする請求項５に記載のディスク装置。
【発明の詳細な説明】
【技術分野】
【０００１】
本発明は、例えばＤＶＤやＣＤ等のディスクに情報を記録したり、ディスクの情報を再生したりするディスク装置に関し、特に１つの駆動モータによって、光ピックアップの移動、光ピックアップとディスクを駆動する駆動部とを備えた可動フレームの昇降移動、及びディスクを載置するトレイの出し入れ移動を自動的に行えるディスク装置の構成に関する。
【背景技術】
【０００２】
１つの駆動モータによって、光ピックアップの移動、光ピックアップとディスクを駆動する駆動部とを備えた可動フレームの昇降移動、及びディスクを載置するトレイの出し入れ移動を自動的に行えるディスク装置については、従来から周知である。以下、この種のディスク装置１００の従来の構成について、図６及び図７を用いて説明する。なお、図６は、従来のディスク装置１００の構成を示す概略平面図であり、図７は、ディスク装置１００を図６の矢印Ａ側から見た概略側面図である。
【０００３】
図６において、１は樹脂製のシャーシ（図６においてはシャーシの底面部のみ示している）であり、このシャーシ１にはディスクを載置して出し入れするためのディスクトレイ２０や可動フレーム２等が取り付けられる。可動フレーム２は、その後端部（図６の上部側）がシャーシ１に回動可能に取り付けられており、鎖線Ｒで示した箇所を中心として回動してその前端部（図６の下部側）が昇降するように構成されている。
【０００４】
この可動フレーム２には、その前部側にディスクが装着されるターンテーブル３付きのスピンドルモータ４が固定されると共に、ディスクの記録面を光学的に走査する光ピックアップ５がガイドシャフト６に沿って前後進可能に取り付けられている。また、可動フレーム２には、駆動モータ７及び駆動モータ７の回転によって回転する歯車列８が取り付けられている。光ピックアップ５にはラック１０が一体連結されており、このラック１０は歯車列８を構成する歯車の一部と噛合うようになっており、駆動モータ７に駆動によって光ピックアップ５を前後進することが可能となっている。なお、歯車列８は、シャーシ１に取り付けられるピニオン９に駆動モータ７の回転を伝達可能とされている。
【０００５】
また、シャーシ１には、図示しない支持台が設けられており、この支持台上に図６中に矢印ａで示す左右方向に往復移動可能なスライダ１１が取り付けられている。このスライダ１１には一体成形されたラック１２が設けられており、このラック１２は、シャーシ１に取り付けられたピニオン９と噛合い可能に構成され、これによりピニオン７の矢印ｂで示す正逆回転運動がラック１２の往復運動に変換されるようになっている。また、スライダ１１にはガイドピン１６ａ、１６ｂが設けられており、このガイドピン１６ａ、１６ｂはディスクトレイ２０の下面に一体成形した左右一対のガイド溝２１ａ、２１ｂに係合されている。
【０００６】
可動フレーム２の前述した昇降運動は、スライダ１１の左右方向の往復運動を通じて行われる。図７に示すようにスライダ１１には上水平部と傾斜部と下水平部とから成るカム溝１１ａが形成されており、このカム溝１１ａに可動フレーム２の前端部に形成されるカム突起１３が案内されることによって可動フレーム２の昇降が行われる。すなわち、スライダ１１はいわゆるカムスライダとして形成されている。
【０００７】
このように構成されるディスク装置１００において、プレイモードからエジェクトモードに切り換えると、スピンドルモータ４の駆動を停止し、駆動モータ７の駆動によりラック１０を介して光ピックアップ５が前進（図６の下方向に移動）する。光ピックアップ５がスピンドルモータ４に当接して最前進位置に達すると、ダブルラック（その詳細は公知であるために、ここでは詳細な説明は省略する）として構成されるラック１０の一方のラック１０ａのみが更に前進し、前進したラック１０ａは、シャーシ１に取り付けられたロックレバ１４に当接する。
【０００８】
なお、ロックレバ１４は、スライダ１１が左右方向に移動するのを防止するためのロック機構の一部であり、このロックレバ１４は図示しないバネによって上下可動に設けられている。
【０００９】
ラック１０ａがロックレバ１４に当接後、更にラック１０ａは前進し、ロックレバ１４によるスライダ１１のロックを解除する。そして、さらにラック１０ａは前進して、スライダ１１の下部に設けられる板状部１５の斜面１５ａに当接し、斜面１５ａとの関係からスライダ１１を図６の左方向に移動させる。これにより、スライダ１１に設けられるラック１２と駆動モータ７の回転に従動するピニオン９とが噛合う。なお、この時点でラック１０ａのスライダ１１側への移動は終了する。
【００１０】
続いて、ピニオン９及びラック１２を介して駆動モータ７の回転によりスライダ１１が図６の左方向にスライドし、カム溝１１ａ及びカム突起１３を介して可動フレーム２が下降される。可動フレーム２が下降すると、ターンテーブル３がディスクトレイ２０よりも下がって（図７の矢印ｃ方向）、ターンテーブル３上のディスクがトレイに受け渡される。
【００１１】
スライダ１１が左方向にスライドされて左端に達する直前に、各ガイドピン１６ａ、１６ｂが各ガイド溝２１ａ、２１ｂのコーナ斜面２２に押し付けられて、ディスクトレイ２０をわずかに前進させ、ディスクトレイ２０の下面に設けられる図示しないトレイラックにピニオン９が噛合し、それと同時にラック１２がピニオン９から外れて縁が切れる。そして、ピニオン９の回転により、トレイラックを介してディスクトレイ２０が前進されて、ディスクの取り出しが可能となる。なお、逆の手順を行うと、プレイモードに戻る。
【００１２】
ディスク装置１００は以上のように構成されるが、ディスクトレイ２０が再生位置にあるプレイモードの状態の時に、スライダ１１が衝撃荷重等により動き出し、意図しないタイミングでスライダ１１に備えられるラック１２とピニオン９とが噛合うと、ディスク装置１００は、１つの駆動モータ７によって、光ピックアップ５の移動、光ピックアップ５とディスクを駆動する駆動部（スピンドルモータ４）とを備えた可動フレーム２の昇降移動、及びディスクを載置するトレイ２０の出し入れ移動を自動的に行える構成であるために、ディスクの再生時等にスライダ１１が動き出し動作不良や異音が発生するという問題が生じる。このため、従来のディスク装置１００においては、上述のようにロックレバ１４とバネとを備えるロック機構によってスライダ１１をロックし、ロックが解除された場合にのみ、スライダ１１のラック１２とピニオン９とが噛合うように構成されている。
【００１３】
しかし、ディスク装置１００が備えるロック機構は、ロックレバとバネが別途必要となるために、部品点数が増加するという問題があった。また、スライダを所定の位置にロックするロック機構については、特許文献１にも紹介されているが、特許文献１のディスクローディング装置は、１つの駆動モータ７で光ピックアップ５の移動、光ピックアップ５とディスクを駆動する駆動部（スピンドルモータ４）とを備えた可動フレームの昇降移動、及びディスクを載置するディスクトレイ２０の出し入れ移動を自動的に行えるディスク装置１００とは異なる構成であり、特許文献１に示されるロック機構をディスク装置１００に適用するのは容易でない。
【００１４】
この点、従来、図８に示すように、カムスライダ２００に突起部２０２を有する板バネ２０１を一体成形し、板バネ２０１とシャーシ（図示しない）に形成されるロックピン２０３とでロック機構を形成する技術もある。なお、図８は従来のディスク装置が備えるカムスライダ２００の構成を示す概略平面図である。
【００１５】
この構成では、プレイモード状態では、カムスライダ２００の移動は、板バネ２０１の突起部２０２がロックピン２０３とぶつかるために、ロックされた状態となり、プレイモードからエジェクトモードに切り換り、カムスライダ２００がギア（図示せず）と噛合い可動すると、板バネ２０１に一定の荷重がかかるために、板バネ２０１が撓んで突起部２０２がロックピン２０３を乗り越えてロックが解除される。この場合、ロック機構をカムスライダ及びディスク装置を構成するシャーシと一体的成形して構成できるために、部品点数が増加しないという利点がある。しかし、ディスク装置に板バネ２０１が変位する程の大きな衝撃荷重が加わると、ロックが簡単に解除され、カムスライダ２００のロックが確実に行えないといった問題があった。
【特許文献１】実開平８−８４８号公報
【発明の開示】
【発明が解決しようとする課題】
【００１６】
以上のようなことから、カムスライダのロック機構を図９に示すような構成とすることも考えられる。図９は、本出願人が本発明のカムスライダのロック機構を発明するに至るまでに検討した、ガムスライダのロック機構の検討例を示した図である。
【００１７】
図９（ａ）に示すように、カムスライダ３００には、平面視Ｌ字状の板バネ３０１が一体的に形成されており、板バネ３０１が形成される近傍には、板バネ３０１が変位できるスペースを与えるための切り欠き部３０２が設けられている。また、ディスク装置を構成するシャーシ（図示せず）には、固定部３０３ａ、３０３ｂが形成されている。
【００１８】
平面視Ｌ字状に設けられる板バネ３０１の先端部３０１ａは、プレイモードの状態では固定部３０３ａと係合するようになっており、これによってカムスライダ３００はその動きをロックされる。ロックの解除は、光ピックアップに取り付けられるラック３０４が板バネ３０１の方向に前進し、板バネ３０１を押すことによって行われる。すなわち、ラック３０４に押された板バネ３０１は変形してその先端部３０１ａが固定部３０３ａから外れ、固定部３０３ａと固定部３０４ａとの間に形成される溝３０５に押し出され、板バネ３０１によるカムスライダ３００のロックが解除される。
【００１９】
このような構成の場合、板バネ３０１はカムスライダ３００と一体成形され、板バネ３０１を係合させる固定部３０３ａはシャーシと一体成形できるために、部品点数を増やさずに、カムスライダのロック機構を構成することができる。しかしながら、このような構成の場合、板バネ３０１が押される方向（板バネ３０１が変形する方向）と板バネ３０１にＬ字状に形成される先端部３０１ａが延び出す方向が平行であるために、カムスライダ３００と一体成形される板バネ３０１が成形不良等により変形した場合には、板バネ３０１の先端部３０１ａが図９（ｂ）に示すように固定部３０３ａに対して傾斜し、ロックの確実性が低下するといった現象が起こり易いといった問題がある。また、ロックの確実性を増すために、板バネ３０１の先端部３０１ａの係り代を増やすことも考えられるが、この場合には、溝３０５の幅も増大させる必要があり、設計上の制約が増大するといった問題もある。
【００２０】
以上の問題点に鑑み、本発明の目的は、１つの駆動モータによって、光ピックアップの移動、光ピックアップとディスクを駆動する駆動部とを備えた可動フレームの昇降移動、及びディスクを載置するトレイの出し入れ移動を自動的に行えるディスク装置であって、可動フレームの昇降を可能とするスライダを確実にロックでき、部品追加によるコストアップを伴うことがないロック機構を備えるディスク装置を提供することである。
【課題を解決するための手段】
【００２１】
上記目的を達成するために本発明は、シャーシと、前記シャーシに対して出し入れ可能に設けられてディスクを載置するトレイと、前記シャーシに対して昇降可能に設けられて、前記ディスクを駆動する駆動部と前記ディスクの情報の読み取りが可能な光ピックアップとを有する可動フレームと、前記シャーシ上に前記トレイの出し入れ方向と直交する方向に移動可能に形成され、前記可動フレームを昇降可能とするスライダと、前記スライダを所定の位置に固定するロックと該ロックの解除とを所定のタイミングで選択的に行えるロック機構と、を備え、１つの駆動モータを駆動することによって、前記トレイの出し入れ移動と前記光ピックアップの移動と前記可動フレームの昇降移動とを自動的に行うディスク装置において、前記ロック機構は、前記光ピックアップに取り付けられ、前記駆動モータの駆動によって前記スライダ側に向かって移動可能な移動部材と、弾性変形する板状部と、該板状部の先端側に設けられて前記移動部材の移動方向と直交する方向であって前記シャーシの底面方向に延び出す円柱状の先端部と、から成って前記スライダと一体成形される弾性部と、前記シャーシに形成されて前記弾性部の前記先端部と係合可能に設けられる係合部と、から成り、前記先端部と前記係合部との係合により前記スライダを前記所定の位置にロックし、前記移動部材の前記スライダ側への移動によって前記先端部が前記移動部材に押圧されて前記板状部が変形し、前記先端部と前記係合部との係合を解消して前記ロックの解除を行うことを特徴としている。
【００２２】
また、上記目的を達成するために本発明は、シャーシと、前記シャーシに対して出し入れ可能に設けられてディスクを載置するトレイと、前記シャーシに対して昇降可能に設けられて、前記ディスクを駆動する駆動部と前記ディスクの情報の読み取りが可能な光ピックアップを有する可動フレームと、前記シャーシ上に前記トレイの出し入れ方向と直交する方向に移動可能に形成され、前記可動フレームを昇降可能とするスライダと、前記スライダを所定の位置に固定するロックと該ロックの解除とを所定のタイミングで選択的に行えるロック機構と、を備え、１つの駆動モータを駆動することによって、前記トレイの出し入れ移動と前記光ピックアップの移動と前記可動フレームの昇降移動とを自動的に行うディスク装置において、前記ロック機構は、前記光ピックアップに取り付けられ、前記駆動モータの駆動によって前記スライダ側に向かって移動可能な移動部材と、弾性変形する板状部と、該板状部の先端側に設けられて前記移動部材の移動方向と非平行な方向であって前記シャーシの底面方向に延び出す先端部と、から成って前記スライダと一体成形される弾性部と、前記シャーシに形成されて前記弾性部の前記先端部と係合可能に設けられる係合部と、から成り、前記先端部と前記係合部との係合により前記スライダを前記所定の位置にロックし、前記移動部材の前記スライダ側への移動によって前記先端部が前記移動部材に押圧されて前記板状部が変形し、前記先端部と前記係合部との係合を解消して前記ロックの解除を行うことを特徴としている。
【００２３】
また、本発明は、上記構成のディスク装置において、前記先端部は、前記移動部材の移動方向と直交する方向であって前記シャーシの底面方向に延びることを特徴としている。
【００２４】
また、本発明は、上記構成のディスク装置において、前記先端部は円柱状に形成されることを特徴としている。
【００２５】
また、上記目的を達するために本発明は、シャーシと、前記シャーシに対して出し入れ可能に設けられてディスクを載置するトレイと、前記シャーシに対して昇降可能に設けられて、前記ディスクを駆動する駆動部と前記ディスクの情報の読み取りが可能な光ピックアップとを有する可動フレームと、前記シャーシ上に前記トレイの出し入れ方向と直交する方向に移動可能に形成され、前記可動フレームを昇降可能とするスライダと、前記スライダを所定の位置に固定するロックと該ロックの解除とを所定のタイミングで選択的に行えるロック機構と、を備え、１つの駆動モータを駆動することによって、前記トレイの出し入れ移動と前記光ピックアップの移動と前記可動フレームの昇降移動とを自動的に行うディスク装置において、前記ロック機構は、前記光ピックアップに取り付けられ、前記駆動モータの駆動によって前記スライダ側に向かって移動可能な移動部材と、前記シャーシと一体成形され、前記移動部材の移動方向と略直交する方向に延びる棒状部を有し、弾性変形によって前記棒状部を回動する弾性部と、前記スライダに設けられて前記棒状部と係合可能な係合部と、から成って、前記棒状部が前記係合部と係合することによって前記スライダを前記所定の位置にロックし、前記移動部材の前記スライダ側への移動によって前記棒状部が前記移動部材に押圧されて前記弾性部が弾性変形し、前記棒状部と前記係合部の係合を解消して前記ロックの解除を行うことを特徴としている。
【００２６】
また、本発明は、上記構成のディスク装置において、前記弾性部は前記シャーシに両端を固定されていることを特徴としている。
【発明の効果】
【００２７】
本発明の第１の構成によれば、ロック機構は、従来光ピックアップに取り付けられる移動部材と、スライダと一体成形される弾性部と、シャーシに形成される係合部とから成るために、部品点数を増やすことなくロック機構を形成できる。また、弾性部は、弾性変形可能な板状部と、板状部の先端側に設けられて移動部材の移動方向と直交する方向であってシャーシの底面方向に延び出す先端部と、から成る構成であるために、弾性部が成形不良によって変形しても、先端部の固定部に対する係り代が低減する可能性を低くできる。また、該係り代を増やすに当たって、シャーシ側に設ける溝の幅を大きくする必要もなく、設計上の制約も少ない。更に、弾性部の先端部が円柱状に形成されているために、弾性部が製造時に変形したような場合でも、固定部と先端部の当たり面の状態が変わらず、安定したロック性能を得ることができる。
【００２８】
また、本発明の第２の構成によれば、ロック機構は、従来光ピックアップに取り付けられる移動部材と、スライダと一体成形される弾性部と、シャーシに形成される係合部とから成るために、部品点数を増やすことなくロック機構を形成できる。また、弾性部は、弾性変形可能な板状部と、板状部の先端側に設けられて移動部材の移動方向と非平行な方向であってシャーシの底面方向に延び出す先端部と、から成る構成であるために、弾性部が成形不良によって変形しても、先端部の固定部に対する係り代が低減する可能性を低くできる。
【００２９】
また、本発明の第３の構成によれば、上記第２の構成のディスク装置において、先端部は、移動部材の移動方向と直交する方向であってシャーシの底面方向に延びる構成であるために、弾性部の成形不良の影響を受け難く、係り代を増やすに当たって、シャーシ側に設ける溝の幅を大きくする必要もなく、設計上の制約も少ない。
【００３０】
また、本発明の第４の構成によれば、上記第２又は第３の構成のディスク装置において、弾性部の先端部が円柱状に形成されているために、弾性部が製造時に変形したような場合でも、固定部と先端部の当たり面の状態が変わらず、安定したロック性能を得ることができる。
【００３１】
また、本発明の第５の構成によれば、ロック機構は、従来光ピックアップに取り付けられる移動部材と、シャーシと一体成形される弾性部と、スライダに形成される係合部と、から成る構成であるために、部品点数を増やさずにロック機構を形成できる。また、ロック機構を構成する、棒状部とスライダに形成される係合部とによってスライダを確実に所定の位置に固定できるためにロックが確実である。
【００３２】
また、本発明の第６の構成によれば、上記第５の構成のディスク装置において、シャーシと一体成形される弾性部を両端支持する構成であるために、ロック機構が安定した性能を発揮することが可能である。
【発明を実施するための最良の形態】
【００３３】
以下に本発明の実施形態を、図面を参照しながら説明する。なお、ディスク装置全体の構成については、基本的にスライダの部分を除いて従来の構成と同様である。このため、図６、７に示した従来のディスク装置１００の構成と重複する部分については同一の符号を付し、特に必要がない場合にはその説明を省略する。また、ここで示す実施形態は一例であり、本発明はここに示す実施形態に限定されるものではない。
【００３４】
（第１実施形態）
図１は、第１実施形態のディスク装置の構成を示す図であり、スライダ１１の周辺を拡大して示した概略平面図である。図１においては、光ピックアップ５がスピンドルモータ４と当接しており、光ピックアップ５に取り付けられたラック１０ａがスライダ１１に向かって前進している状態を示している。すなわち、プレイモードからエジェクトモードに切り換えられて、スライダ１１が動き出す寸前の状態を示している。
【００３５】
第１実施形態のスライダ１１は、従来例で示したスライダ１１をロックするロック機構を構成するロックレバ１４（図６参照）や、スライダ１１の移動のトリガーとして働く板状部１５（図６参照）は形成されていない。代わりに、図１に示すように、スライダ１１に弾性部３１と、切り欠き穴３２と、切り欠き溝３３と、を設け、更にシャーシ１上に係合部３４、ラック１０ａ上にトリガーピン３５を設けている。ここで、ラック１０ａ、弾性部３１、及び係合部３４がロック機構３０として機能し、切り欠き溝３３とトリガーピン３５が、スライダ１１の移動のトリガーとして機能する。
【００３６】
以下、ロック機構３０の詳細について説明する。まず、ロック機構３０を構成する、弾性部３１及び係合部３４について説明する。なお、ラック１０ａは従来のディスク装置１００に備えられるラック１０ａと同様であるために、その説明は省略する。
【００３７】
図２は、図１のスライダ１１の一部を拡大して示した斜視図である。図２に示すように、スライダ１１に形成される弾性部３１は、板状部３１ａと板状部３１ａの先端側に形成される円柱状の先端部３１ｂとから成っている。この弾性部３１は、ポリアセタール樹脂等の樹脂で形成されるスライダ１１と一体成形されており、光ピックアップ５のラック１０ａがスライダ１１方向に前進した時に、ラック１０ａの先端と弾性部３１とが当接するようにその配置が調整されている。
【００３８】
板状部３１ａは、板状面が鉛直方向と平行に配置され、その一端側（先端部３１ｂでない側）がスライダ１１に固定された状態となっている。このため、板状部３１ａは、弾性部３１にラック１０ａの先端が当接し、更にラック１０ａがスライダ１１側に前進する（図２における矢印Ｂ方向）と、ラック１０ａによる押圧力が与えられて弾性変形する。なお、スライダ１１には、弾性部３１を取り囲むように切り欠き穴３２が形成されており、これにより、弾性部３１はラック１０ａによって押圧された場合に、スライダ１１と衝突することなく変形可能となっている。
【００３９】
弾性部３１を構成する先端部３１ｂは、ラック１０ａがスライダ１１側に前進する方向（本実施形態では図２の矢印Ｂで示す方向が該当する。また、板状部３１ａの変形方向にも該当する）と直交する方向であってスライダ１１の下方側（シャーシ１の底面側）に、板状部３１ａより延び出した構成となっており、これにより先端部３１ｂはフックとしての機能が与えられ、その詳細は後述する係合部３４と係合可能となっている。なお、フックとして機能する先端部３１ｂの係合部３４に対する係り代は、板状部３１ａのスライダ１１に対する取り付け角を変えることで変更することが可能である。
【００４０】
スライダ１１の下部側には、シャーシ１と一体成形され、スライダ１１のスライド方向（図１の左右方向）に延びた略直方体形状の係合部３４が設けられている。係合部３４は、その一面３４ａにおいて、スライダ１１に形成される弾性部３１の先端部３１ｂと係合可能に設けられている。また、係合部３４は、先端部３１ｂとの係合が可能で、スライダ１１のその他の部分とはスライダ１１がスライドした際にも衝突しないように、その高さが調整されている。
【００４１】
次に、以上のように構成されるロック機構３０の作用について説明する。ディスク装置がプレイモードにある場合には、スライダ１１は図１の右側に位置しており、ロック解除動作があるまでは、スライダ１１に設けられる弾性部３１が係合部３４と係合しているために、図１の左側方向に向かってスライドすることできず、ロックされた状態となっている。
【００４２】
プレイモードからエジェクトモードに切り換えられると、従来例のところで説明したように、光ピックアップ５がスピンドルモータ４側に当接し、光ピックアップ５に取り付けられたラック１０ａがスライダ１１に向かって前進して図１の状態となる。そして、ラック１０ａの先端が弾性部３１に当接し、さらにラック１０ａが前進すると、弾性部３１の板状部３１ａが図２の矢印Ｂの方向に変形して先端部３１ｂと係合部３４との係合が解消される。これにより、ロック機構３０によるスライダ１１のロックが解除される。
【００４３】
なお、ロックが解除されると同時に、ラック１０ａに設けられたトリガーピン３５が切り欠き溝３３に案内され、スライダ１１に図１の左方向の力が加わって、スライダ１１が左方向に移動する。この時、弾性部３１はその先端部３１ａを係合部３４の一面３４ｂに押圧された状態で摺動する。この後、スライダ１１のラック１２がピニオン９と噛合し、駆動モータ７（図６参照）の駆動によってスライダ１１が左方向にスライドされる。この時も、弾性部３１に先端部３１ａは係合部３４の面３４ｂに押圧された状態で左方向に摺動する。
【００４４】
スライダ１１が左方向から右方向に移動する（エジェクトモードからプレイモードに切り換えられた場合が相当する）と、弾性部３１も係合部３４の一面３４ｂに押圧された状態で右方向に摺動する。そして、係合部３４の面３４ｂが無くなった時点で弾性力により係合部３４の面３４ａと係合する方向に戻ろうとし、この際、ラック１０ａもスライダ１１から離れる方向に移動するために、弾性部３１と係合部３４とが再び係合した状態となって、スライダ１１がロックされる。
【００４５】
なお、以上に示した第１実施形態では、弾性部３１の先端部３１ｂはラック１０ａの前進方向（ラック１０ａのスライダ１１側への移動方向）と直交する方向であって下方側（図２のＣ方向）に延び出す構成となっているが、必ずしも、ラック１０ａの前進方向と直交する方向である必要はなく、垂直からずれて斜めになっても構わない。ただし、あまり斜めになると、係合部３４の係合面３４ａのサイズを大きくする必要等が生じるので、ラック１０ａの前進方向と直交する方向が好ましい。
【００４６】
また、本実施形態においては、弾性部３１の先端部３１ａは円柱状としているがこれに限定される趣旨ではなく、本発明の目的を逸脱しない範囲で種々の変更が可能である。すなわち、図３に示すように、先端部３１ｂを角柱状等としても構わない。なお、図３に示す構成では、本実施形態のように板状部３１ａの板状面が係合部３４の面３４ｂに対して斜めとなる構成とはなっておらず、板状部３１ａの板状面は固定部３４に対して平行となっているが、このように変更も、もちろん可能である。
【００４７】
更に、本実施形態では、ラック１０ａに設けたトリガーピン３５が切り欠き溝３３に案内されてスライダ１１のラック１２がピニオン９と噛合する構成としているが、これに限らず、従来例で示したディスク装置１００のように、ラック１０ａの先端がスライダ１１に設けられた図示しないトリガー面を有する板状部と当接することによってスライダ１１が動き出す構成としても、もちろん構わない。
【００４８】
（第２実施形態）
第２実施形態のディスク装置は、スライダ１１をロックするロック機構及びロック解除されたスライダ１１が動き出すようになる構成を除いて、第１実施形態のディスク装置と同様である。このため、第１実施形態と異なる点についてのみ、図４及び図５を用いて説明する。ここで、図４は、第２実施形態のディスク装置の構成を示す図であり、スライダ１１の周辺を拡大して示した概略平面図である。また、図５は、図４のＤ−Ｄ位置の断面を示した概略図で、図５（ａ）はスライダ１１がロックされた状態、図５（ｂ）はスライダ１１のロックが解除された状態である。
【００４９】
なお、図４は、光ピックアップ５がスピンドルモータ４と当接しており、光ピックアップ５に取り付けられたラック１０ａがスライダ１１に向かって前進している状態を示している。すなわち、プレイモードからエジェクトモードに切り換えられて、スライダ１１が動き出す寸前の状態を示している。
【００５０】
第１実施形態と第２実施形態の相違点である、ロック解除されたスライダ１１が動き出すようになる構成は、従来例のディスク装置１００（図６、７参照）と同様である。すなわち、ラック１０ａの先端がスライダ１１に向かって前進した場合に、ラック１０ａの先端とスライダ１１の下部に設けられるトリガー面１５ａを有する板状部１５とが当接して、スライダ１１が動き出すように構成されている。
【００５１】
次に、第１実施形態と第２実施形態の相違点である、ディスク装置に備えられるロック機構４０の構成について説明する。ロック機構４０は、光ピックアップ５に取り付けられるラック１０ａと、その中央部に棒状部４３を有して、シャーシ１に設けられた支持部４１ａ、４１ａにその両端が支持される板バネ４２と、スライダ１１に一体的に形成される平面視矩形状の突起部４４と、から成る。
【００５２】
板バネ４２は、シャーシ１の支持部４１ａ、４１ａと一体的に形成されており、図５に示すように、鉛直方向Ｅ（図４における紙面方向）に対してその板面を４５°傾けた状態となっている。板バネ４２に一体的に形成される棒状部４３は、鉛直方向Ｅと平行な方向に長手方向を有する略直方体形状に形成されており、その底面４３ａはラック１０ａの進行方向Ｆに対して斜めとなっている。また、棒状部４３の上部側及び下部側は、シャーシ１とは固定されておらず、棒状部４３は板バネ４３に支えられた状態で、シャーシ１に対して浮いた状態となっている。このため、棒状部４３は板バネ４２の変形によって図５（ｂ）に示す矢印Ｇの方向に回動可能となっている。
【００５３】
板バネ４２は、図４に示すように、ラック１０ａがスライダ１１側に向かって前進した時に、ラック１０ａと棒状部４３とが当接するように、その形成位置を調整されている。また、スライダ１１に一体的に形成される突起部４４は、板バネ４２が変形していない時には棒状部４３と係合するようにその形成位置及びサイズを調整されている。
【００５４】
次に、以上のように構成されるロック機構４０の作用について説明する。ディスク装置がプレイモードにある場合には、スライダ１１は図４の右側に位置しており、ロック解除動作があるまでは、スライダ１１に設けられる突起部４４が棒状部４３と係合して図１の左側方向に向かってスライドすることできず、ロックされた状態となっている。
【００５５】
プレイモードからエジェクトモードに切り換えられると、従来例のところで説明したように、光ピックアップ５がスピンドルモータ４側に当接し、光ピックアップ５に取り付けられたラック１０ａがスライダ１１に向かって前進して図１の状態となる。そして、ラック１０ａの先端が棒状部４３に当接し、さらにラック１０ａが前進すると、棒状部４３が鉛直方向上側に持ち上げられ、鉛直方向Ｅに対して所定の角度（本実施形態では４５°）を持って形成される板バネ４２が変形して、棒状部４３は図５の矢印Ｇの反時計周り方向に回動する。そして、これにより棒状部４３と突起部４４との係合が解消し、ロック機構４０によるスライダ１１のロックが解除される。
【００５６】
なお、ロックが解除されてからも、ラック１０ａは更に前進し、スライダ１１の下方の設けられる板状部１５と当接して、そのトリガー面１５ａの形状に従ってスライダ１１を左方向に移動する。この後、スライダ１１のラック１２がピニオン９と噛合し、駆動モータ７（図６参照）の駆動によってスライダ１１が左方向にスライドされる。
【００５７】
また、スライダ１１が左方向から右方向に移動する（エジェクトモードからプレイモードに切り換えられた場合が相当する）と、スライダ１１のラック１２とピニオン９との係合が解消されて、ラック１０ａがスライダ１１から離れる方向に移動し、これにより、ラック１０ａによる棒状部４３の押圧も解消され、板バネ４２が変形された状態から元の状態に復帰して、棒状部４３とスライダ１１の突起部４４とが係合し、スライダ１１がロックされる。
【００５８】
以上に示した第２実施形態においては、板バネ４２が鉛直方向Ｅに対して４５°傾いて配置される構成としているが、必ずしもこの構成に限定されず、本発明の趣旨を逸脱しない範囲で、板バネ４２の傾斜角は変更できる。また、本実施形態では、板バネ４２を支持部４１ａ、４１ｂを用いて、その両端で支持する構成としているが、これに限らず、片側支持としても構わない。
【産業上の利用可能性】
【００５９】
以上説明したように、本発明は、可動フレームの昇降を可能とするスライダのロックを確実且つ低コストで実現でき、１つの駆動モータによって、光ピックアップの移動、光ピックアップとディスクを駆動する駆動部とを備えた可動フレームの昇降移動、及びディスクを載置するトレイの出し入れ移動を自動的に行えるディスク装置に対して、非常に有用である。
【図面の簡単な説明】
【００６０】
【図１】は、第１実施形態のディスク装置の構成を示す図であり、スライダの周辺を拡大して示した概略平面図である。
【図２】は、図１のスライダの一部を拡大して示した斜視図である。
【図３】は、図３は第１実施形態のディスク装置の変形例を示す図である。
【図４】は、第２実施形態のディスク装置の構成を示す図であり、スライダの周辺を拡大して示した概略平面図である。
【図５】は、図４のＤ−Ｄ位置の断面を示した概略図である。
【図６】は、従来のディスク装置の構成を示す概略平面図である。
【図７】は、図６のディスク装置を矢印Ａ側から見た概略側面図である。
【図８】は、従来のディスク装置が備えるカムスライダの構成を示す概略平面図である。
【図９】は、本出願人が本発明のカムスライダのロック機構を発明するに至るまでに検討した、ガムスライダのロック機構の検討例を示した図である。
【符号の説明】
【００６１】
１            シャーシ
２            可動フレーム
４            スピンドルモータ（ディスクの駆動部）
５            光ピックアップ
７            駆動モータ
１０ａ        ラック（移動部材）
１１          スライダ
２０          ディスクトレイ
３０、４０    ロック機構
３１          弾性部
３１ａ        板状部
３１ｂ        先端部
３４          係合部
４２          板バネ（弾性部）
４３          棒状部
４４          突起部（係合部）
【図１】
2008097770.tif 000003
【図２】
2008097770.tif 000004
【図３】
2008097770.tif 000005
【図４】
2008097770.tif 000006
【図５】
2008097770.tif 000007
【図６】
2008097770.tif 000008
【図７】
2008097770.tif 000009
【図８】
2008097770.tif 000010
【図９】
2008097770.tif 000011